(57)【要約】【課題】  耐ノイズ性を向上し、かつ安価である静電容量方式操作ユニットを用いた空気清浄機を提供する。【解決手段】  操作基板と、該操作基板の前側に位置する導光板と、該導光板の前側に位置するガラスパネルと、を有する静電容量方式の操作ユニットと、フィルタと、を有し、前記操作基板は、一面側にタッチ電極パッドと電源パターンと信号パターンとを有し、前記導光板は、開口部を有し、前記導光板を前記操作基板に取り付けた際に、前記開口部が前記電源パターンや前記信号パターンの前に位置することを特徴とする。【選択図】  図１
2017161083.tif 000002
【特許請求の範囲】
【請求項１】
操作基板と、該操作基板の前側に位置する導光板と、該導光板の前側に位置するガラスパネルと、を有する静電容量方式の操作ユニットと、フィルタと、を有し、
前記操作基板は、一面側にタッチ電極パッドと電源パターンと信号パターンとを有し、
前記導光板は、開口部を有し、
前記導光板を前記操作基板に取り付けた際に、前記開口部が前記電源パターンや前記信号パターンの前に位置することを特徴とする空気清浄機。
【請求項２】
前記操作基板がＦＲ−１であることを特徴とする空気清浄機。
【発明の詳細な説明】
【技術分野】
【０００１】
本発明は、空気清浄機に関する。
【背景技術】
【０００２】
近年、製品前面にガラス板を用い、静電容量方式操作ユニットを設ける空気清浄機がある（特開２０１５−２０３５４５）。
【先行技術文献】
【特許文献】
【０００３】
【特許文献１】特開２０１５−２０３５４５号公報
【発明の概要】
【発明が解決しようとする課題】
【０００４】
特許文献１に記載の空気清浄機では、静電容量方式操作ユニットとして、タッチスイッチ基板に両面基板を用いることが記載されている。特許文献１に記載のようにタッチスイッチ基板に両面基板を用いることで、タッチ面にタッチ電極パッドを配置し、裏面に実装部品、信号パターンや電源パターンを配置し、耐ノイズ性を向上することができるが、両面基板は高価である。
【０００５】
耐ノイズ性を向上し、かつ安価である静電容量方式操作ユニットを用いた空気清浄機の提供を目的とする。
【課題を解決するための手段】
【０００６】
上記課題を解決すべく、操作基板と、該操作基板の前側に位置する導光板と、該導光板の前側に位置するガラスパネルと、を有する静電容量方式の操作ユニットと、フィルタと、を有し、前記操作基板は、一面側にタッチ電極パッドと電源パターンと信号パターンとを有し、前記導光板は、開口部を有し、前記導光板を前記操作基板に取り付けた際に、前記開口部が前記電源パターンや前記信号パターンの前に位置する。
【発明の効果】
【０００７】
本発明によれば、耐ノイズ性を向上し、かつ安価である静電容量方式操作ユニットを用いた空気清浄機を提供することができる。
【図面の簡単な説明】
【０００８】
【図１】本発明の実施形態に係る空気清浄機を示す斜視図である。
【図２】本発明の実施形態に係る空気清浄機の表示部と操作部を示す図である。
【図３】本発明の実施形態に係る表示インジケータ部の分解斜視図である。
【図４】本発明の実施形態に係る導光板を示す図である。
【図５】本発明の実施形態に係る操作基板を示す図である
【図６】図５のＢ−Ｂ断面図である。
【図７】図６の別実施例である。
【発明を実施するための形態】
【０００９】
以下、本発明の実施例を図面に従って説明する。図に示す方向を前後左右上下の方向とする。図１は、本発明の実施形態に係る空気清浄機を示す斜視図である。
【００１０】
図２のように、空気清浄機１００は、本体１と、ガラスパネル２と、内部にフィルタ（図示なし）と、を備える。ガラスパネル２は、本体１の前側に位置する。本体１の前側の上側には、表示インジケータ部３を有する。後述するが、表示インジケータ部３の一部はガラスパネル２である。
【００１１】
図２は、本発明の実施形態に係る空気清浄機の表示図と操作部を示す図である。
【００１２】
表示インジケータ部３は、表示部１０とタッチ操作部１１に分かれている。表示部１０は、湿度や操作モード、風量などを表示する。タッチ操作部１１は、メニューや操作モードなどを操作可能である。
【００１３】
図３は、本発明の実施形態に係る表示インジケータ部の分解斜視図である。表示インジケータ部３は、基板ケース１４と、表示基板１５と、操作基板１６と、表示成形パネル１７と、導光板１８と、ガラスパネル２と、を有する。表示基板１５は基板ケース１４の前上側に、操作基板１６は基板ケース１４の前下側に配置される。表示成形パネル１７は表示基板１５の前側に、導光板１８は操作基板１６の前側に配置される。ガラスパネル２は、表示成形パネル１７や導光板１８の前側を覆うように配置される。
【００１４】
図４は、本発明の実施形態に係る導光板を示す図である。導光板１８は、開口部Ａ２０、開口部Ｂ２１、開口部Ｃ２３、開口部Ｄ２４が設けられた板状の導光部材である。
【００１５】
図５は、本発明の実施形態に係る操作基板を示す図である。操作基板１６は、電源パターン３０、信号パターン３１、タッチ電極パッド３２、実装部品３３、ＬＥＤ３４が、基操作基板１６の前側に設けられている。
【００１６】
導光板１８における開口部Ａ２０、開口部Ｂ２１、開口部Ｃ２３、開口部Ｄ２４は、導光板１８を操作基板１６に取り付けた際に、電源パターン３０、信号パターン３１、実装部品３３、ＬＥＤ３４が、導光板１８と接することのないように設けられている。
【００１７】
静電容量方式の操作ユニットの基板として、両面基板（両面に銅箔パターンを形成した基板）を用い、タッチ操作を行う側にタッチ電極パッドを配置し、裏面に信号パターンや電源パターン及びグランドパターンを配置することで、耐ノイズに強い性能を持つことが可能となる。しかし、両面基板を使用することにより、高価な操作基板となってしまう。
【００１８】
本実施形態では、図５に記載のように、基板として、紙フェノールの耐熱材を用い、パターン形成は、タッチ電極パッド３２や、信号パターン３１、電源パターン３０及び実装部品３３を、タッチ面（基板の一方の面）に配置した構造とする。全て一方の面に設けたため、片面基板で良く、両面基板に比べて安価な操作基板となる。
【００１９】
図６は、図５のＢ−Ｂ断面図である。ガラスパネル２と導光板１８と操作基板１６とにより、静電容量方式の操作ユニットが構成される。静電容量方式の操作ユニットは、タッチ電極パッド３２、導光板１８、ガラスパネル２等の各層との間に空気層が発生するとタッチ検知感度が低下するため、操作基板１６のタッチ電極パッド３２と導光板１８との間や導光板１８とガラスパネル２の間に、空気層が無いよう密着させ取り付ける。電源パターン３０や信号パターン３１の前は開口部Ａ２０や開口部Ｂ２１であり、空気層６２となるため、耐ノイズ性に強い性能を持つことが可能となる。
【００２０】
なお、図７に示すように、開口部Ｂ２１でなく凹部６１としても同様の効果を奏する。
【００２１】
なお、タッチ電極パッド３２と表示文字の前方にのみ導光板を設け、信号パターン３１、電源パターン３０の前部に空気層となるよう導光板１８に開口部Ｂ２１や開口部Ｃを設けることでタッチ検知感度を低下させ誤動作防止や耐ノイズ性に強い、タッチ操作基板を提供することが可能となる。
【符号の説明】
【００２２】
１      本体
２      ガラスパネル
３      表示インジケータ部
１０    表示部
１１    タッチ操作部
１４    基板ケース
１５    表示基板
１６    操作基板
１７    表示成形パネル
１８    導光板
２０    開口部Ａ
２１    開口部Ｂ
２３    開口部Ｃ
２４    開口部Ｄ
３０    電源パターン
３１    信号パターン
３２    タッチ電極パッド
３３    実装部品
【図１】
2017161083.tif 000003
【図２】
2017161083.tif 000004
【図３】
2017161083.tif 000005
【図４】
2017161083.tif 000006
【図５】
2017161083.tif 000007
【図６】
2017161083.tif 000008
【図７】
2017161083.tif 000009